(57)【要約】【課題】燃焼ファン１２としてターボファンを用いた場合、給・排気路の閉塞で燃焼筐１の内圧がかなり高くなってガスノズル７ａからのガス噴射が抑制されるが、それでもバーナ２への供給ガス量が低下しないようにする。【解決手段】バーナ２の要求燃焼量に応じて設定される燃焼ファン１２の目標回転数を給・排気路の閉塞度合の増加に応じて増加補正すると共に、要求燃焼量に応じて設定されるガス比例弁９の目標電流も閉塞度合の増加に応じて増加補正する。また、目標回転数と目標電流が小さくなるほど閉塞度合が増加したときの目標回転数と目標電流の増加補正値をより大きくする。【選択図】図１
2008256271.tif 000002
【特許請求の範囲】
【請求項１】
バーナを内蔵する燃焼筐と、バーナに対するガス供給路に介設したガス比例弁と、燃焼筐内に燃焼用空気を供給する燃焼ファンと、バーナの要求燃焼量に応じて燃焼ファンの目標回転数を設定するファン回転数設定手段と、バーナの要求燃焼量に応じてガス比例弁に通電する目標電流を設定する比例弁電流設定手段と、燃焼筐に対する給・排気路の閉塞度合を検出する閉塞度合検出手段と、閉塞度合検出手段で検出した閉塞度合に応じて燃焼ファンの目標回転数を補正するファン回転数補正手段とを備える強制給気式燃焼装置であって、燃焼ファンをターボファンで構成するものにおいて、
閉塞度合検出手段で検出した閉塞度合の増加に応じてガス比例弁に通電する目標電流を増加補正する比例弁電流補正手段を備えることを特徴とする強制給気式燃焼装置。
【請求項２】
前記ファン回転数補正手段と前記比例弁電流補正手段は、前記ファン回転数設定手段と前記比例弁電流設定手段で設定される目標回転数と目標電流が小さくなるほど前記閉塞度合検出手段で検出した閉塞度合が増加したときの目標回転数と目標電流の増加補正値をより大きくするように構成されることを特徴とする請求項１記載の強制給気式燃焼装置。
【発明の詳細な説明】
【技術分野】
【０００１】
本発明は、バーナを内蔵する燃焼筐と、バーナに対するガス供給路に介設したガス比例弁と、燃焼筐内に燃焼用空気を供給する燃焼ファンとを備える強制給気式燃焼装置に関する。
【背景技術】
【０００２】
従来、この種の燃焼装置として、バーナの要求燃焼量に応じて燃焼ファンの目標回転数を設定するファン回転数設定手段と、バーナの要求燃焼量に応じてガス比例弁に通電する目標電流を設定する比例弁電流設定手段と、燃焼筐に対する給・排気路の閉塞度合を検出する閉塞度合検出手段と、閉塞度合検出手段で検出した閉塞度合に応じて燃焼ファンの目標回転数を補正するファン回転数補正手段とを備えるものは知られている（例えば、特許文献１参照）。
【０００３】
燃焼筐に対する給・排気路の閉塞度合がある程度以上になると、燃焼ファンをファン回転数設定手段で設定される目標回転数で回転させても、燃焼筐に供給される空気量はバーナの要求燃焼量に対応する目標空気量より減少し、空気不足による燃焼不良を生ずる。上記従来例によれば、閉塞度合検知手段で検出した閉塞度合の増加に伴い目標回転数が増加補正されるため、給・排気路の閉塞を生じても、目標空気量の燃焼用空気が燃焼筐内に供給され、燃焼不良の発生が防止される。尚、ガス比例弁への通電電流は、バーナの燃焼量が要求燃焼量に維持されるよう、閉塞度合が増加しても比例弁電流設定手段で設定した目標電流に維持される。
【０００４】
ところで、燃焼ファンは一般的にシロッコファンで構成されるが、ターボファンを燃焼ファンとして用いた強制給気式燃焼装置も従来知られている（例えば、特許文献２参照）。ターボファンは静圧が高く、給・排気路の閉塞による風量低下がシロッコファンより小さくなる利点がある。
【０００５】
然し、ターボファンを用いる場合には以下の不具合を生ずることが判明した。即ち、ターボファンは静圧が高いため、給・排気路の閉塞度合の増加に伴い目標回転数を増加補正すると燃焼筐の内圧がかなり高くなり、ガスノズルからの燃料ガスの噴射が抑制されて、バーナへの供給ガス量が低下する。特に、バーナの要求燃焼量が小さい場合、即ち、ファン回転数設定手段と比例弁電流設定手段で設定される目標回転数と目標電流が小さい場合、ガス量不足で火炎がバーナに近付きすぎ、バーナが赤熱してその熱損を生じやすくなる。
【特許文献１】特許第３０２９５４７号公報
【特許文献２】特開２００３−２４０２２９号公報
【発明の開示】
【発明が解決しようとする課題】
【０００６】
本発明は、以上の点に鑑み、燃焼ファンとしてターボファンを用いて給・排気路の閉塞による風量低下を小さく押えられるようにすると共に、バーナへの供給ガス量の低下も防止できるようにした高性能の強制給気式燃焼装置を提供することをその課題としている。
【課題を解決するための手段】
【０００７】
上記課題を解決するために、本発明は、バーナを内蔵する燃焼筐と、バーナに対するガス供給路に介設したガス比例弁と、燃焼筐内に燃焼用空気を供給する燃焼ファンと、バーナの要求燃焼量に応じて燃焼ファンの目標回転数を設定するファン回転数設定手段と、バーナの要求燃焼量に応じてガス比例弁に通電する目標電流を設定する比例弁電流設定手段と、燃焼筐に対する給・排気路の閉塞度合を検出する閉塞度合検出手段と、閉塞度合検出手段で検出した閉塞度合に応じて燃焼ファンの目標回転数を補正するファン回転数補正手段とを備える強制給気式燃焼装置であって、燃焼ファンをターボファンで構成するものにおいて、閉塞度合検出手段で検出した閉塞度合の増加に伴いガス比例弁の目標電流を増加補正する比例弁電流補正手段を備えることを特徴とする。
【０００８】
本発明によれば、ターボファンから成る燃焼ファンの目標回転数を給・排気路の閉塞度合の増加に伴い増加補正することにより、燃焼筐内の内圧が高くなっても、ガス比例弁の目標電流が増加補正されるため、バーナへの供給ガス量の低下を抑制することができる。
【０００９】
ここで、バーナの要求燃焼量が大きく、ファン回転数設定で設定される目標回転数が大きい場合、給・排気路の閉塞度合が増加した状態で要求燃焼量に対応する目標空気量を得るためには、燃焼ファンの回転数を目標回転数から大幅に増加することが必要になり、騒音が大きくなると共に燃焼ファンの耐久性に悪影響が及ぶ。また、この場合には、燃焼ファンの回転数を目標回転数から増加しなくても、燃焼筐の内圧が給・排気路の閉塞度合の増加でかなり高くなる。そのため、要求燃焼量に対応する量の燃料ガスをバーナに供給するには、ガス比例弁の電流を目標電流から大幅に増加することが必要になる。然し、バーナの要求燃焼量が大きいときは、比例弁電流設定手段で設定される目標電流がガス比例弁を最大開度近くに開く電流値になるため、ガス比例弁を要求燃焼量に対応する量の燃料ガスをバーナに供給可能な開度まで開くことはできない。
【００１０】
一方、バーナの要求燃焼量が小さく、ファン回転数設定手段で設定される目標回転数が小さい場合は、給・排気路の閉塞度合が増加した状態で要求燃焼量に対応する目標空気量を得られるように目標回転数を所要の比率で増加補正しても、燃焼ファンの回転数は然程高くならず、騒音や燃焼ファンの耐久性の悪化といった問題は生じない。また、この場合は、比例弁電流設定手段で設定される目標電流が小さいため、要求燃焼量に対応する量の燃料ガスをバーナに供給可能な開度までガス比例弁を開くことができる。
【００１１】
以上を勘案すると、本発明において、ファン回転数補正手段と比例弁電流補正手段は、ファン回転数設定と比例弁電流設定手段で設定される目標回転数と目標電流が小さくなるほど閉塞度合検出手段で検出した閉塞度合が増加したときの目標回転数と目標電流の増加補正値をより大きくするように構成されることが望ましい。これによれば、ファン回転数設定手段と比例弁電流設定手段で設定される目標回転数と目標電流が大きい場合には、閉塞度合が増加しても目標回転数と目標電流が然程大きく増加補正されないため、騒音を低減できると共に燃焼ファンの耐久性の悪化を防止できる。また、ファン回転数設定と比例弁電流設定手段で設定される目標回転数と目標電流が小さい場合には、閉塞度合が増加したときに目標回転数と目標電流が比較的大きく増加補正されるため、要求燃焼量に対応する量の空気と燃料ガスとを夫々燃焼筐とバーナに供給することができる。従って、ガス量不足で火炎がバーナに近付きすぎて、バーナの熱損を生ずることを防止できる。
【発明を実施するための最良の形態】
【００１２】
以下、強制給気式燃焼装置である給湯器に本発明を適用した実施形態について説明する。この給湯器は燃焼筐１を備えている。燃焼筐１内には、複数本の単位バーナ２ａから成るバーナ２が配置されると共に、バーナ２の上方に位置させて給湯用の熱交換器３が配置されている。熱交換器３は、多数の吸熱フィン３ａとこれら吸熱フィン３ａを貫通する吸熱管３ｂとを有している。吸熱管３ｂには上流側の給水路４と下流側の出湯路５とが接続されている。そして、熱交換器３に給水路４から供給される水が熱交換器３においてバーナ２の燃焼排気との熱交換により加熱され、加熱された温水が出湯路５に送り出されて、出湯路５の下流端の図示省略した出湯栓から出湯されるようにしている。
【００１３】
バーナ２を構成する複数本の単位バーナ２ａは第１と第２の２組のバーナ群２１、２２に組分けされている。そして、バーナ２に対するガス供給路６の下流端に、２組のバーナ群２１、２２に対応する第１と第２の２個のガスマニホールド７１，７２を設けて、各ガスマニホールド７１，７２に設けた複数のガスノズル７ａから対応する各バーナ群２１、２２の単位バーナ２ａに燃料ガスが供給されるようにしている。ガス供給路６には、主弁８とその下流側のガス比例弁９とが介設されている。また、ガス供給路６は、ガス比例弁９の下流側で第１と第２の両ガスマニホールドーナ７１，７２に対応して一対の分岐路に分岐されており、第１ガスマニホールド７１用の分岐路に第１能力切換弁１０１が介設され、第２ガスマニホールド７２用の分岐路に第２能力切換弁１０２が介設されている。
【００１４】
そして、後述するように算定されるバーナ２の要求燃焼量が比較的小さな領域では、第１能力切換弁１０１を開弁させて、第１バーナ群２１のみを燃焼させる小能力運転を行い、要求燃焼量がガス比例弁９を最大開度にしたときに第１バーナ群２１で得られる燃焼量より大きくなったときに、第２能力切換弁１０２も開弁させて、第１と第２の両バーナ群２１、２２を燃焼させる大能力運転を行う。
【００１５】
バーナ２の燃焼排気は熱交換器３を通過した後、燃焼筐１の上端部から排気筒１１を介して排出される。また、燃焼筐１の底面には燃焼ファン１２が接続されており、この燃焼ファン１２の作動で燃焼筐１内に燃焼用空気が供給される。ここで、燃焼ファン１２はターボファンで構成されている。ターボファンは静圧が高く、燃焼筐１に対する給・排気路の閉塞による風量低下がシロッコファンより小さくなる利点がある。
【００１６】
給水路４には、水量センサ１３と水量調節弁１４とが介設されており、更に、熱交換器３に供給される水の温度を検出する給水温度センサ１５が設けられている。また、出湯路５には、熱交換器３から送り出される温水の温度を検出する出湯温度センサ１６が設けられている。
【００１７】
給湯器は、更に、主弁８、ガス比例弁９、能力切換弁１０１，１０２、燃焼ファン１２及び水量調節弁１４を制御するコントローラ１７を備えている。コントローラ１７には、水量センサ１３、給水温度センサ１５及び出湯温度センサ１６の検出信号が入力される。また、コントローラ１７にはリモートコントローラ１８が接続されており、リモートコントローラ１８で設定した設定湯温の指示信号がコントローラ１７に入力される。
【００１８】
コントローラ１７は機能的手段として、図２に示す如く、要求燃焼量演算手段１７１と、燃焼筐１の給・排気路の閉塞度合を検出する閉塞度合検出手段１７２と、要求燃焼量演算手段１７１で算出された要求燃焼量に応じて燃焼ファン１２の目標回転数を設定するファン回転数設定手段１７３と、閉塞度合検出手段１７２で検出された閉塞度合に応じて目標回転数を補正するファン回転数補正手段１７４と、要求燃焼量演算手段１７１で算出された要求燃焼量に応じてガス比例弁９に通電する目標電流を設定する比例弁電流設定手段１７５と、閉塞度合検出手段１７２で検出された閉塞度合に応じて目標電流を補正する比例弁電流補正手段１７６と、燃焼ファン１２を制御するファン制御手段１７７と、主弁８、ガス比例弁９及び能力切換弁１０１，１０２を制御するバーナ制御手段１７８と、水量調節弁１４を制御する水量制御手段１７９とを有する。
【００１９】
要求燃焼量演算手段１７１は、水量センサ１３で検出される水量と、給水温度センサ１５で検出される水温と、リモートコントローラ１８で設定した設定湯温とから要求燃焼量を算出する。即ち、熱交換器３に検出水量及び検出水温で通水される水を設定湯温まで加熱するのに必要な燃焼量を要求燃焼量として算出する。
【００２０】
閉塞度合検出手段１７２は、燃焼ファン１２の回転数が一定の場合、給・排気路の閉塞度合の増加に伴ってファン電流（燃焼ファン１２のファンモータに流れる電流）が低下する現象を利用して、燃焼ファン１２に付設した回転数センサ１２１と電流センサ１２２とで検出されるファン回転数とファン電流とに基づき給・排気路の閉塞度合を算出する。
【００２１】
ファン回転数設定手段１７３は、要求燃焼量が小能力運転を行う範囲の下限から上限の間で変化するときに、燃焼ファン１２の目標回転数を通常の制御範囲の最小回転数から最大回転数の間で要求燃焼量に応じて可変設定し、要求燃焼量が大能力運転を行う範囲の下限から上限の間で変化するときに、燃焼ファン１２の目標回転数を同様に通常の制御範囲の最小回転数から最大回転数の間で要求燃焼量に応じて可変設定する。尚、ガス比例弁９の開度が同じであれば、即ち、各単位バーナ２ａの燃焼量が同じであれば、小能力運転時のバーナ２全体の燃焼量は大能力運転時の１／２になるが、小能力運転時には燃焼ファン１２から供給される空気の半分が燃焼していない第２バーナ群２２に流れてしまう。そのため、燃焼中の第１バーナ群２１の各単位バーナ２ａにその燃焼量に対応する量の空気を供給するには、小能力運転時にも燃焼ファン１２の目標回転数を通常の制御範囲の最小回転数から最大回転数の間で要求燃焼量に応じて可変設定することが必要になる。
【００２２】
比例弁電流設定手段１７５は、要求燃焼量が小能力運転を行う範囲の下限から上限の間で変化するときに、ガス比例弁９の目標電流を通常の制御範囲の最小電流から最大電流の間で要求燃焼量に応じて可変設定し、要求燃焼量が大能力運転を行う範囲の下限から上限の間で変化するときに、ガス比例弁９の目標電流を同様に通常の制御範囲の最小電流から最大電流の間で要求燃焼量に応じて可変設定する。尚、ガス比例弁９の目標電流を燃焼ファン１２の回転数に比例して可変設定することも可能である。このようにしても、燃焼ファン１２の回転数は要求燃焼量に応じて変化するため、要求燃焼量に応じてガス比例弁９の目標電流が設定されることになる。
【００２３】
ファン回転数補正手段１７４と比例弁電流補正手段１７６は、閉塞度合検出手段１７２で検出した給・排気路の閉塞度合が所定の下限値以上に増加したときに目標回転数と目標電流を増加補正する。尚、閉塞度合が所定の上限値を上回ったときは、後述するように燃焼を停止する。
【００２４】
ここで、バーナ２の要求燃焼量が大きく、ファン回転数設定手段１７３で設定される目標回転数が大きい場合、閉塞度合が増加した状態で要求燃焼量に対応する目標空気量を得るためには、燃焼ファン１２の回転数を目標回転数から大幅に増加することが必要になり、騒音が大きくなると共に燃焼ファン１２の耐久性に悪影響が及ぶ。また、この場合には、燃焼ファン１２の回転数を目標回転数から増加しなくても、燃焼ファン１２として静圧の高いターボファンを用いている関係で、燃焼筐１の内圧が給・排気路の閉塞度合の増加でかなり高くなる。そのため、ガスノズル７ａからのガス噴射が抑制される。従って、要求燃焼量に対応する量の燃料ガスをバーナ２に供給するには、ガス比例弁９の電流を目標電流から大幅に増加することが必要になる。然し、バーナ２の要求燃焼量が大きいときは、比例弁電流設定手段１７５で設定される目標電流がガス比例弁９を最大開度近くに開く電流値になるため、ガス比例弁９を要求燃焼量に対応する量の燃料ガスをバーナに供給可能な開度まで開くことはできない。
【００２５】
一方、バーナ２の要求燃焼量が小さく、ファン回転数設定手段１７３で設定される目標回転数が小さい場合は、給・排気路の閉塞度合が増加した状態で要求燃焼量に対応する目標空気量を得られるように目標回転数を所要の比率で増加補正しても、燃焼ファン１２の回転数は然程高くならず、騒音や燃焼ファン１２の耐久性の悪化といった問題は生じない。また、この場合は、比例弁電流設定手段１７５で設定される目標電流が小さいため、要求燃焼量に対応する量の燃料ガスをバーナに供給可能な開度までガス比例弁９を開くことができる。
【００２６】
そこで、本実施形態では、ファン回転数設定手段１７３と比例弁電流設定手段１７５で設定される目標回転数と目標電流が小さくなるほど閉塞度合検出手段１７２で検出した閉塞度合が増加したときの目標回転数と目標電流の増加補正値をより大きくするようにしている。この点について図３を参照して詳述する。
【００２７】
ファン回転数設定手段１７３で設定される目標回転数が燃焼ファン１２の通常制御範囲の最大回転数Ｎｍａｘ（例えば、３３０Ｈｚ）であり、比例弁電流設定手段１７５で設定される目標電流がガス比例弁９の通常制御範囲の最大電流Ｉｍａｘ（例えば、１６７ｍＡ）である場合には、図３の線ＡＮ，ＡＩで示すように、閉塞度合が下限値たる６５％と上限値たる８５％との間の範囲であるときに、目標回転数と目標電流を増加補正する。また、ファン回転数設定手段１７３で設定される目標回転数が燃焼ファン１２の通常制御範囲の最小回転数Ｎｍｉｎ（例えば、１５５Ｈｚ）であり、比例弁電流設定手段１７５で設定される目標電流がガス比例弁９の通常制御範囲の最小電流Ｉｍｉｎ（例えば、７０ｍＡ）である場合には、図３の線ＢＮ，ＢＩで示すように、閉塞度合が下限値たる７５％と上限値たる９０％との間の範囲であるときに、目標回転数と目標電流を増加補正する。
【００２８】
目標回転数は、ファン回転数設定手段１７３で設定される目標回転数に補正値（補正係数）Ｋを乗算した値に増加補正される。また、目標電流は、比例弁電流設定手段１７５で設定される目標電流に補正値ΔＩを加算した値に増加補正される。これら補正値Ｋ，ΔＩは、閉塞度合が下限値以上の範囲で閉塞度合の増加に伴い大きくなり、閉塞度合が上限値になったとき最大になる。ここで、目標回転数と目標電流が夫々最大回転数Ｎｍａｘ、最大電流Ｉｍａｘである場合の補正値Ｋ，ΔＩの最大値Ｋａ、ΔＩａは比較的小さく設定され（例えば、Ｋａ＝１．０５、ΔＩａ＝３ｍＡ）、目標回転数と目標電流が夫々最小回転数Ｎｍｉｎ、最小電流Ｉｍｉｎである場合の補正値Ｋ，ΔＩの最大値Ｋｂ、ΔＩｂは比較的大きく設定される（例えば、Ｋｂ＝１．３、ΔＩｂ＝２５ｍＡ）。
【００２９】
ファン回転数設定手段１７３で設定される目標回転数が上記最大回転数Ｍｍａｘと上記最小回転数Ｎｍｉｎとの間の範囲であるときには、目標回転数を図３の線ＡＮとＢＮとの間を線形補間した値に増加補正する。同様に、比例弁電流設定手段１７５で設定される目標電流が上記最大電流Ｉｍａｘと上記最小電流Ｉｍｉｎとの間の範囲であるときには、目標電流を図３の線ＡＩとＢＩとの間を線形補間した値に増加補正する。また、ファン回転数設定手段１７３で設定される目標回転数が上記最大回転数Ｍｍａｘと上記最小回転数Ｎｍｉｎとの間の範囲であるときには、目標回転数と目標電流の増加補正を行う閉塞度合の範囲を定める下限値及び上限値も線形補間した値に設定する。
【００３０】
次に、給湯時のコントローラ１７による制御について説明する。出湯栓が開かれて熱交換器３に通水され、水量センサ１３で検出される水量が最小作動水量（例えば、２．７リットル／分）以上になると、ファン制御手段１７７により燃焼ファン１２が所定のプリパージ回転数で所定時間作動されて、プリパージ運転が行われる。その後、バーナ制御手段１７８により主弁８と第１能力切換弁１０１とが開弁されると共にガス比例弁９が所定の点火開度に開かれ、この状態で図示省略したイグナイタが作動されてバーナ２に点火される。この際、燃焼ファン１２は所定の点火回転数で作動される。点火後は、図４に示す燃焼制御が実行される。
【００３１】
燃焼制御では、先ず、Ｓ１のステップにおいて、ファン制御手段１７７により燃焼ファン１２を回転数設定手段１７３で設定された目標回転数（回転数補正手段１７４による補正が行われたときは補正後の目標回転数）に等しい回転数で回転させると共に、バーナ制御手段１７８によりガス比例弁９に比例弁電流設定手段１７５で設定された目標電流（比例弁電流補正手段１７５による補正が行われたときは補正後の目標電流）を通電する比例制御を行う。また、比例制御では、要求燃焼量に応じた第１と第２の両能力切換弁１０１，１０２の開閉制御を行い、更に、出湯温度センサ１６の検出温度が設定湯温に達しないときは、水量調節弁１４により出湯温度センサ１６の検出温度が設定湯温に上昇するまで水量を減少させる制御を行う。
【００３２】
次に、Ｓ２のステップにおいて、閉塞度合検出手段１７２で検出された給・排気路の閉塞度合が上限値以下であるか否かを判別し、上限値以下であれば、Ｓ３のステップで閉塞度合が下限値以上であるか否かを判別する。そして、閉塞度合が下限値以上であれば、Ｓ４のステップでの補正処理を行ってからＳ５のステップに進み、閉塞度合が下限値未満であれば、Ｓ５のステップに直接進む。
【００３３】
Ｓ４のステップにおける補正処理では、ファン回転数補正手段１７４により燃焼ファン１２の目標回転数を閉塞度合に応じて上記の如く補正すると共に、比例弁電流補正手段１７６によりガス比例弁９の目標電流を閉塞度合に応じて上記の如く補正する。
【００３４】
Ｓ５のステップでは、水量センサ１３で検出した水量が最低作動流量以上であるか否かを判別する。水量が最低作動流量以上であるときは、Ｓ１のステップに戻って上述の処理を繰り返す。水量が最低作動流量未満になったときはＳ７のステップに進む。また、Ｓ２のステップで閉塞度合が上限値を上回っていると判別されたときには、Ｓ６のステップでリモートコントローラ１８の表示部に過度の閉塞が発生した旨を表示する処理を行った後、Ｓ７のステップに進む。そして、Ｓ７のステップにおいて、主弁８を閉弁して燃焼を停止すると共に燃焼ファン１２を停止する停止処理を実行する。
【００３５】
ここで、ファン回転数設定手段１７３と比例弁電流設定手段１７５で設定される目標回転数と目標電流が大きい場合には、閉塞度合が増加したときの目標回転数と目標電流の増加補正値Ｋ，ΔＩが比較的小さくなる。そのため、騒音を低減できると共に燃焼ファンの耐久性の悪化を防止できる。この場合、要求燃焼量に対応する量の燃料ガスをバーナ２に供給できなくなるが、水量制御手段１７９による水量調節弁１４の制御で水量を減少することにより、設定湯温の温水を出湯することができる。
【００３６】
また、ファン回転数設定手段１７３と比例弁電流設定手段１７５で設定される目標回転数と目標電流が小さい場合には、閉塞度合が増加したときの目標回転数と目標電流の増加補正値Ｋ，ΔＩが比較的大きくなる。そのため、要求燃焼量に対応する量の空気と燃料ガスとを夫々燃焼筐１とバーナ２に供給することができる。従って、ガス量不足で火炎がバーナ２に近付きすぎて、バーナ２の熱損を生ずることを防止できる。
【００３７】
以上、本発明の実施形態について図面を参照して説明したが、本発明はこれに限定されない。例えば、上記実施形態では、燃焼ファン１２の回転数に対するファン電流の関係に基づいて給・排気路の閉塞度合を検出するように閉塞度合検出手段１７２を構成したが、燃焼ファン１２からの送風量を検出する風量センサを設けて、ファン回転数に対する送風量の関係から閉塞度合を検出することも可能である。
【００３８】
また、ファン回転数設定手段１７３で設定される目標回転数が燃焼ファン１２の通常制御範囲の最大回転数Ｎｍａｘであり、比例弁電流設定手段１７５で設定される目標電流がガス比例弁９の通常制御範囲の最大電流Ｉｍａｘである場合には、閉塞度合が増加しても目標回転数や目標電流を増加補正しないようにしてもよい。また、上記実施形態は給湯器に本発明を適用したものであるが、給湯器以外の強制給気式燃焼装置にも同様に本発明を適用できる。
【図面の簡単な説明】
【００３９】
【図１】本発明の実施形態の燃焼装置を示す説明図。
【図２】図１の燃焼装置のコントローラのブロック図。
【図３】ファン回転数と比例弁電流の補正の仕方を示すグラフ。
【図４】コントローラによる燃焼制御の内容を示すフロー図。
【符号の説明】
【００４０】
１…燃焼筐、２…バーナ、６…ガス供給路、９…ガス比例弁、１２…燃焼ファン、１７…コントローラ、１７２…閉塞度合検出手段、１７３…ファン回転数設定手段、１７４…ファン回転数補正手段、１７５…比例弁電流設定手段、１７６…比例弁電流補正手段。
【図１】
2008256271.tif 000003
【図２】
2008256271.tif 000004
【図３】
2008256271.tif 000005
【図４】
2008256271.tif 000006